(57)【要約】【課題】積載される輸送用ケースの荷重を支持しやすくすることで、輸送用ケースが変形したり、破損することを防止できるようにした簡易パレットを提供すること。【解決手段】輸送用ケースの下面の四隅に配置して用いられる簡易パレット部材１において、輸送用ケースを載置する載置部１１と、この載置部１１から一体に下方に突出させて設けた接地部１２とを備え、載置部１１の角部の内法形状と、接地部１２の角部の外縁形状とが、平面視して一致するようにする。【選択図】図１−１
2018039540.tif 000002
【特許請求の範囲】
【請求項１】
輸送用ケースを載置する載置部と、該載置部から一体に下方に突出させて設けた接地部とを備え、輸送用ケースの下面の四隅に配置して用いられる簡易パレット部材において、載置部の角部の内法形状と、接地部の角部の外縁形状とが、平面視して一致するようにしたこと特徴とする簡易パレット部材。
【請求項２】
前記載置部の輸送用ケースの載置面を、角部の隅側が高いスロープ状に形成してなること特徴とする請求項１に記載の簡易パレット部材。
【請求項３】
請求項１又は２に記載の簡易パレット部材と、輸送用ケースを載置する載置部と、該載置部から一体に下方に突出させて設けた接地部とを備え、輸送用ケースの下面の縁部に配置して用いられる簡易パレット補助部材とからなることを特徴とする簡易パレット。
【発明の詳細な説明】
【技術分野】
【０００１】
本発明は、コンテナ等の物品を積載面に載置して運搬や保管等するために使用されるパレットに関するものである。
【背景技術】
【０００２】
従来、コンテナ等の物品を積載面に載置して運搬や保管等するために合成樹脂製や木製のパレットが汎用されている（例えば、特許文献１参照。）。
ところで、従来のパレットは、フォークリフト等のフォーク（ツメ）が挿入可能な空間を設け、載置する物品の荷重に耐え得る強度を有する薄い箱状に形成されているため、大きさの異なる物品に対応するためには、大きさ（平面形状）が異なる複数種類のパレットを用意しなければならず、また、保管に大きなスペースを必要とするという問題があった。
【０００３】
ところで、この問題に対処できるものとして、本件出願人は、図３に示す、コンテナ等の物品（本明細書において、「輸送用ケース」という。）の下面の四隅、さらに必要に応じて、中央部に配置して用いられる簡易パレット（商品名「ＹＰプロテイナー」（登録商標））を製造、販売している。
この簡易パレットは、輸送用ケースＷの下面の四隅に配置して用いられる簡易パレット部材１０１と、中央部に配置して用いられる簡易パレット補助部材１０２とからなり、輸送用ケースＷの下面の四隅と中央部とにそれぞれ配置し、例えば、結束バンドＢで固定したり、両面粘着テープで接着、固定したり、あるいは、両者を併用することによって、輸送用ケースＷ自体をパレットとして扱えるように、すなわち、簡易パレット部材１０１（簡易パレット補助部材１０２）の間にフォークリフト等のフォーク（ツメ）が挿入可能な空間を設けるようにするものである。
そして、この簡易パレットは、輸送用ケースＷの大きさ（平面形状）に制約を受けないため、大きさの異なる輸送用ケースＷにも対応できるという利点を有するもの、すなわち、フリーサイズパレットであり、また、保管に大きなスペースを必要としないという利点を有するものである。
【先行技術文献】
【特許文献】
【０００４】
【特許文献１】特開２０１１−７９５３０号公報
【発明の概要】
【発明が解決しようとする課題】
【０００５】
このように、上記簡易パレットは、フリーサイズパレットで、保管に大きなスペースを必要としないという利点を有する反面、輸送用ケースＷとして，例えば、剛性の小さいダンボールボックスに適用して、これを積み重ねた場合、輸送用ケースＷの下面の四隅に配置して用いられる簡易パレット部材１０１の接地部１１２が、輸送用ケースＷの下面の四隅に配置したとき、輸送用ケースＷの内方に偏倚する位置に形成されているため、輸送用ケースＷの蓋が、その上に積載される輸送用ケースＷの荷重を支持しきれず、変形したり、破損することがあるという問題があった。
【０００６】
本発明は、上記簡易パレットの有する問題点に鑑み、フリーサイズパレットで、保管に大きなスペースを必要としないという利点を享有しながら、積載される輸送用ケースの荷重を支持しやすくすることで、輸送用ケースが変形したり、破損することを防止できるようにした簡易パレットを提供することを目的とする。
【課題を解決するための手段】
【０００７】
上記目的を達成するため、本発明の簡易パレット部材は、輸送用ケースを載置する載置部と、該載置部から一体に下方に突出させて設けた接地部とを備え、輸送用ケースの下面の四隅に配置して用いられる簡易パレット部材において、載置部の角部の内法形状と、接地部の角部の外縁形状とが、平面視して一致するようにしたこと特徴とする。
【０００８】
この場合において、前記載置部の輸送用ケースの載置面を、角部の隅側が高いスロープ状に形成することができる。
【０００９】
また、同じ目的を達成するため、本発明の簡易パレットは、前記簡易パレット部材と、輸送用ケースを載置する載置部と、該載置部から一体に下方に突出させて設けた接地部とを備え、輸送用ケースの下面の縁部に配置して用いられる簡易パレット補助部材とからなることを特徴とする。
【発明の効果】
【００１０】
本発明の簡易パレット部材によれば、輸送用ケースを載置する載置部と、該載置部から一体に下方に突出させて設けた接地部とを備え、輸送用ケースの下面の四隅に配置して用いられる簡易パレット部材において、載置部の角部の内法形状と、接地部の角部の外縁形状とが、平面視して一致するようにすることにより、フリーサイズパレットで、保管に大きなスペースを必要としないという利点を享有しながら、積載される輸送用ケースの荷重を、簡易パレット部材を介して、下の輸送用ケースの蓋の下方に位置する周壁で支持するようにすることで、輸送用ケースが変形したり、破損することを防止できる。
【００１１】
また、前記載置部の輸送用ケースの載置面を、角部の隅側が高いスロープ状に形成することにより、積載される輸送用ケースの荷重のうちの多くの部分を、角部の隅側で支持することで、接地部の接地面の角部側の浮き上がり（簡易パレット部材の内側への傾斜）を防止し、積載される輸送用ケースの荷重を、簡易パレット部材を介して、下の輸送用ケースの蓋の下方に位置する周壁で確実に支持することができる。
【００１２】
また、同じ目的を達成するため、本発明の簡易パレットは、前記簡易パレット部材と、輸送用ケースを載置する載置部と、該載置部から一体に下方に突出させて設けた接地部とを備え、輸送用ケースの下面の縁部に配置して用いられる簡易パレット補助部材とからなるようにすることにより、大きな輸送用ケースや重量のある輸送用ケースの下面の縁部に配置した簡易パレット補助部材を介して、積載される輸送用ケースの荷重を、下の輸送用ケースの蓋の下方に位置する周壁で支持することができる。
【図面の簡単な説明】
【００１３】
【図１−１】本発明の簡易パレットを構成する輸送用ケースの下面の四隅に配置して用いられる簡易パレット部材の一実施例を示す斜視図である。
【図１−２】同簡易パレット部材を示し、（ａ）は背面図、（ｂ）は左側面図、（ｃ）は平面図、（ｄ）は正面図である。
【図１−３】同簡易パレット部材を示し、（ａ）は右側面図、（ｂ）は底面図である。
【図２−１】本発明の簡易パレットを構成する輸送用ケースの下面の縁部に配置して用いられる簡易パレット補助部材の一実施例を示す斜視図である。
【図２−２】同簡易パレット補助部材を示し、（ａ）は背面図、（ｂ）は左側面図、（ｃ）は平面図、（ｄ）は正面図である。
【図２−３】同簡易パレット補助部材を示し、（ａ）は右側面図、（ｂ）は底面図である。
【図３】従来の簡易パレットを示し、（ａ）はその使用例の斜視図、（ｂ）は輸送用ケースの下面の四隅に配置して用いられる簡易パレット部材の斜視図、（ｃ）は輸送用ケースの中央部に配置して用いられる簡易パレット補助部材の斜視図である。
【発明を実施するための形態】
【００１４】
以下、本発明の簡易パレットの実施の形態を、図面に基づいて説明する。
図１〜図２に、本発明の簡易パレットの一実施例を示す。
この簡易パレットは、図１に示す、輸送用ケースの下面の四隅に配置して用いられる簡易パレット部材１と、輸送用ケースの下面の縁部に配置して用いられる簡易パレット補助部材２とで構成される。
【００１５】
簡易パレット部材１及び簡易パレット補助部材２は、ポリプロピレン樹脂、塩化ビニル樹脂等の適宜の合成樹脂を用いてそれぞれ一体成形で製造される。
【００１６】
このうち、輸送用ケースの下面の四隅に配置して用いられる簡易パレット部材１は、輸送用ケースを載置する載置部１１と、この載置部１１から一体に下方に突出させて設けた接地部１２とを備え、載置部１１の角部の内法形状と、接地部１２の角部の外縁形状とが、平面視して一致するようにしている。
【００１７】
また、輸送用ケースの下面の縁部に配置して用いられる簡易パレット補助部材２は、輸送用ケースを載置する載置部２１と、この載置部２１から一体に下方に突出させて設けた接地部２２とを備え、載置部２１の縁部側の内法形状と、接地部２２の縁部側の外縁形状とが、平面視して一致するようにしている。
【００１８】
この場合において、簡易パレット部材１及び簡易パレット補助部材２の載置部１１、２１の輸送用ケースの載置面を、角部の隅側１１ａ又は縁部側２１ａが、内側１１ｂ、２１ｂより高いスロープ状に形成することが望ましい。
角部の隅側１１ａ又は縁部側２１ａと、内側１１ｂ、２１ｂの高さの差は、１〜数ｍｍ程度（本実施例においては、２ｍｍ）に設定するようにする。ここで、高さの差は、載置部１１、２１の肉厚を変化させることによって付けるようにしている。
これにより、積載される輸送用ケースの荷重のうちの多くの部分を、角部の隅側又は縁部側で支持することで、接地部１２、２２の接地面の角部側又は縁部側の浮き上がり（簡易パレット部材１及び簡易パレット補助部材２の内側への傾斜）を防止し、積載される輸送用ケースの荷重を、簡易パレット部材１及び簡易パレット補助部材２を介して、下の輸送用ケースの蓋の下方に位置する周壁で支持することができる。
【００１９】
簡易パレット部材１及び簡易パレット補助部材２の接地部１２、２２の接地面は、細かい凹凸模様の滑り止めを形成することが望ましい。
これにより、輸送用ケースを安定して積載することができる。
【００２０】
簡易パレット部材１及び簡易パレット補助部材２の載置部１１、２１の載置面の外側縁から周壁１３、２３を立ち上げるようにしている。
これにより、輸送用ケースを載置部１１、２１の積載面に正確かつ安定して載置することができる。
【００２１】
簡易パレット部材１及び簡易パレット補助部材２の載置部１１、２１、接地部１２、２２及び周壁１３、２３には、それぞれ補強リブを形成することが望ましい。
【００２２】
そして、この簡易パレットは、図３に示す従来の簡易パレットと同様、簡易パレット部材１を、輸送用ケースの下面の四隅に配置し、必要に応じて、簡易パレット補助部材２を輸送用ケースの下面の縁部に配置するようにし、例えば、結束バンドで固定したり、両面粘着テープで接着、固定したり、あるいは、両者を併用することによって、輸送用ケース自体をパレットとして扱えるように、すなわち、簡易パレット部材１（簡易パレット補助部材２）の間にフォークリフト等のフォーク（ツメ）が挿入可能な空間を設けるようにして用いられる。
【００２３】
この簡易パレットは、フリーサイズパレットで、保管に大きなスペースを必要としないという利点を享有しながら、積載される輸送用ケースの荷重を、簡易パレット部材１及び簡易パレット補助部材２を介して、下の輸送用ケースの蓋の下方に位置する周壁で支持するようにすることで、輸送用ケースが変形したり、破損することを防止できる。
【００２４】
以上、本発明の簡易パレットについて、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の簡易パレットは、フリーサイズパレットであるという利点を享有しながら、積載される輸送用ケースの荷重を支持しやすくすることで、輸送用ケースが変形したり、破損することを防止できるという特性を有していることから、フリーサイズパレットの用途に好適に用いることができる。
【符号の説明】
【００２６】
１  簡易パレット部材
１１  載置部
１２  接地部
１３  周壁
２  簡易パレット補助部材
２１  載置部
２２  接地部
２３  周壁
【図１−１】
2018039540.tif 000003
【図１−２】
2018039540.tif 000004
【図１−３】
2018039540.tif 000005
【図２−１】
2018039540.tif 000006
【図２−２】
2018039540.tif 000007
【図２−３】
2018039540.tif 000008
【図３】
2018039540.tif 000009